(57)【要約】【課題】データの送信先を含む送信先情報が誤って記憶された場合に、該送信先情報の使用を禁止して、受信側のユーザに不快感を与えることを防止することができる送信装置及び送信方法を提供する。【解決手段】制御部４は、画像データの送信が完了しない場合、同一送信先に再度画像データを送信する再送信処理を行い、送信回数を計数する。制御部４は、送信回数が所定値より大きい場合、送信エラーを報知するとともに、送信先情報の修正要求が操作されたか否かを判定する。制御部４は、送信先情報の修正要求がある場合、送信先情報の修正を行い、送信先情報の修正要求がない場合、送信先情報を削除して、送信先情報を削除したことを報知する。【選択図】図１
2007235731.tif 000002
【特許請求の範囲】
【請求項１】
データの送信先を含む送信先情報を複数記憶する記憶手段と、記憶された送信先情報に基づいて送信先を選択する選択手段と、選択された送信先へデータを送信する送信手段とを備える送信装置において、
送信先への送信が完了したか否かを判定する判定手段と、
該判定手段で送信が完了していないと判定された場合、前記送信先への送信を禁止する禁止手段と
を備えることを特徴とする送信装置。
【請求項２】
前記判定手段で送信が完了していないと判定された場合、再送信をすべく前記送信手段を制御する制御手段を備え、
前記禁止手段は、
所定回数送信を繰り返した場合において、送信先への送信が完了していないときは、前記送信先への送信を禁止するように構成してあることを特徴とする請求項１に記載の送信装置。
【請求項３】
データを送信した場合に、送信先の誤りを示す送信誤情報を受信する受信手段を備え、
前記禁止手段は、
前記受信手段で送信誤情報を受信した場合、該送信先への送信を禁止するように構成してあることを特徴とする請求項１又は請求項２に記載の送信装置。
【請求項４】
送信先への送信を禁止する場合、該送信先を含む送信先情報を削除する削除手段を備えることを特徴とする請求項１乃至請求項３のいずれか１つに記載の送信装置。
【請求項５】
送信先が通話中であるか否かを検出する検出手段を備え、
送信先が通話中である場合、該送信先を含む送信先情報の削除を行わないように構成してあることを特徴とする請求項４に記載の送信装置。
【請求項６】
送信先への送信を禁止する場合、送信が禁止されたことを報知する報知手段を備えることを特徴とする請求項１乃至請求項５のいずれか１つに記載の送信装置。
【請求項７】
データの送信先を含む送信先情報を複数記憶し、記憶された送信先情報に基づいて送信先を選択し、選択された送信先へデータを送信する送信方法において、
送信先への送信が完了したか否かを判定し、
送信が完了していないと判定された場合、前記送信先への送信を禁止することを特徴とする送信方法。
【発明の詳細な説明】
【技術分野】
【０００１】
本発明は、データの送信先に関する送信先情報を予め記憶しておき、送信の都度行う送信先情報の入力を省き、送信操作を簡素化することができるワンタッチ・ダイヤル機能を備えた送信装置及び送信方法に関する。
【背景技術】
【０００２】
近年、インターネットに代表される情報処理の高速化又は情報量の増大化に伴って、スキャナ機能、プリンタ機能、ファクシミリ機能及びメール送信機能などを備えたデジタル複合機、又はファクシミ装置などは、ネットワーク又は通信回線などを通じて遠隔地にある他のデジタル複合機又はパーソナルコンピュータなどの情報通信端末に接続され、多くのユーザに共有されるようになった。
【０００３】
このようなデジタル複合機、又はファクシミリ装置では、スキャナ機能又は外部のパーソナルコンピュータなどで取得した画像データをファックス通信又はメール送信により遠隔地へ送信する場合、送信の都度、送信先の電話番号、電子メールアドレス、送信先名などの送信先情報を入力する手間を省くため、予め送信先情報を登録して記憶しておき、送信する際には、記憶された送信先情報の中から送信先を簡単に設定することができるワンタッチ・ダイヤル機能を備えている。
【０００４】
また、特許文献１には、会社名、住所、氏名、電話番号、ＦＡＸ番号、メールアドレス等のカテゴリ毎に分類して送信先情報を登録することにより、短時間に所望の送信先ＦＡＸ番号を検索することができるファクシミリ装置が提案されている。
【０００５】
また、特許文献２には、ファクシミリ受信時、相手先から通知される送信元情報と予め記憶されている相手先情報とを比較して、送信元情報と一致する相手先情報がある場合、ファクシミリ受信終了後に受信結果を送信元に送信することにより、ファクシミリ受信が適切に行なわれたか否かが分かり、利便性を向上させることができるファクシミリ装置が提案されている。
【特許文献１】特開２００４−２１４７１０号公報
【特許文献２】特開２０００−１５１９５７号公報
【発明の開示】
【発明が解決しようとする課題】
【０００６】
しかしながら、特許文献１及び２のファクシミリ装置にあっては、ワンタッチ・ダイヤル機能を用いて、予め記憶された複数の送信先情報の中から送信先を設定（又は選択）して、画像データを送信する場合において、送信先情報が誤って登録され記憶されているときは、画像データの送信ができないのみならず、誤って発呼した送信先に迷惑をかけることになる。例えば、登録した送信先情報がＦＡＸ番号ではなく、電話機の電話番号である場合、送信側の装置（例えば、デジタル複合機、ファクシミリ装置など）が画像データの送信ができず、繰り返しリダイヤル処理を行うため、受信側の電話機では、呼び出し音により受話器をオフフックした場合、ファクシミリ通信のキャリア音が聞こえることになり、受信側のユーザに不快感を与えるとともに、受信側では対応の術がないという問題があった。
【０００７】
本発明は、斯かる事情に鑑みてなされたものであり、記憶された複数の送信先情報に基づいて送信先を選択し、選択された送信先へのデータの送信が完了していないと判定された場合、前記送信先への送信を禁止することにより、送信先情報が誤って記憶された場合には、該送信先情報の使用を禁止して、受信側のユーザに不快感を与えることを防止することができる送信装置及び送信方法を提供することを目的とする。
【０００８】
また、本発明の他の目的は、送信が完了していないと判定され、再送信を所定回数繰り返した場合において、送信先への送信が完了していないときは、前記送信先への送信を禁止することにより、記憶された送信先情報が確実に誤っていることを判定することができる送信装置を提供することにある。
【０００９】
また、本発明の他の目的は、データを送信した場合において、送信先の誤りを示す送信誤情報を受信したときは、該送信先への送信を禁止することにより、誤った送信先情報が繰り返し使用されることを防止することができる送信装置を提供することにある。
【００１０】
また、本発明の他の目的は、送信先への送信を禁止する場合、該送信先を含む送信先情報を削除する削除手段を備えることにより、正しい送信先情報だけを記憶することができる送信装置を提供することにある。
【００１１】
また、本発明の他の目的は、送信先が通話中である場合、該送信先を含む送信先情報を削除しないことにより、誤って正しい送信先情報が削除されることを防止することができる送信装置を提供することにある。
【００１２】
また、本発明の他の目的は、送信先への送信を禁止する場合、送信が禁止されたことを報知する報知手段を備えることにより、ユーザに誤った送信先情報が存在することを認識させることができる送信装置を提供することにある。
【課題を解決するための手段】
【００１３】
本発明に係る送信装置は、データの送信先を含む送信先情報を複数記憶する記憶手段と、記憶された送信先情報に基づいて送信先を選択する選択手段と、選択された送信先へデータを送信する送信手段とを備える送信装置において、送信先への送信が完了したか否かを判定する判定手段と、該判定手段で送信が完了していないと判定された場合、前記送信先への送信を禁止する禁止手段とを備えることを特徴とする。
【００１４】
本発明に係る送信装置は、前記判定手段で送信が完了していないと判定された場合、再送信をすべく前記送信手段を制御する制御手段を備え、前記禁止手段は、所定回数送信を繰り返した場合において、送信先への送信が完了していないときは、前記送信先への送信を禁止するように構成してあることを特徴とする。
【００１５】
本発明に係る送信装置は、データを送信した場合に、送信先の誤りを示す送信誤情報を受信する受信手段を備え、前記禁止手段は、前記受信手段で送信誤情報を受信した場合、該送信先への送信を禁止するように構成してあることを特徴とする。
【００１６】
本発明に係る送信装置は、送信先への送信を禁止する場合、該送信先を含む送信先情報を削除する削除手段を備えることを特徴とする。
【００１７】
本発明に係る送信装置は、送信先が通話中であるか否かを検出する検出手段を備え、送信先が通話中である場合、該送信先を含む送信先情報の削除を行わないように構成してあることを特徴とする。
【００１８】
本発明に係る送信装置は、送信先への送信を禁止する場合、送信が禁止されたことを報知する報知手段を備えることを特徴とする。
【００１９】
本発明に係る送信方法は、データの送信先を含む送信先情報を複数記憶し、記憶された送信先情報に基づいて送信先を選択し、選択された送信先へデータを送信する送信方法において、送信先への送信が完了したか否かを判定し、送信が完了していないと判定された場合、前記送信先への送信を禁止することを特徴とする。
【００２０】
本発明にあっては、判定手段は、記憶された複数の送信先情報に基づいて選択された送信先へのデータの送信が完了したか否かを判定する。禁止手段は、送信が完了していないと判定された場合、記憶された送信先情報が誤りであるとして、前記送信先への送信を禁止する。これにより、送信先情報が誤って記憶された場合には、該送信先情報の使用を禁止する。
【００２１】
また、本発明にあっては、制御手段は、送信が完了していないと判定された場合、同一送信先へ再送信をすべく制御する。禁止手段は、所定回数送信を繰り返した場合において、送信先への送信が完了していないときは、前記送信先への送信を禁止する。所定回数送信を繰り返すことにより、記憶された送信先情報が誤りであることを確実に判定する。
【００２２】
また、本発明にあっては、受信手段は、データを送信した送信先が誤りである場合に、送信先が誤りであることを示す送信誤情報を受信する。禁止手段は、前記受信手段で送信誤情報を受信した場合、該送信先への送信を禁止する。これにより、誤った送信先情報が繰り返し使用されることを防止する。
【００２３】
また、本発明にあっては、削除手段は、送信先への送信を禁止する場合、該送信先を含む送信先情報を削除する。これにより、正しい送信先情報だけを記憶する。
【００２４】
また、本発明にあっては、検出手段は、送信先が通話中であるか否かを検出する。送信先が通話中である場合、該送信先を含む送信先情報の削除を行わないようにする。これにより、正しい送信先情報であるにもかかわらず、通話中ということで誤って送信先情報が削除されることを防止する。
【００２５】
また、本発明にあっては、報知手段は、送信先への送信を禁止する場合、送信が禁止されたことを報知する。
【発明の効果】
【００２６】
本発明にあっては、記憶された複数の送信先情報に基づいて、送信先を選択し、選択された送信先へのデータの送信が完了していないと判定された場合、前記送信先への送信を禁止することにより、送信先情報が誤って記憶された場合には、該送信先情報の使用を禁止して、受信側のユーザに不快感を与えることを防止することができる。
【００２７】
また、本発明にあっては、送信が完了していないと判定され、再送信を所定回数繰り返した場合に、送信先への送信が完了していないときは、前記送信先への送信を禁止することにより、記憶された送信先情報が確実に誤っていることを判定することができる。
【００２８】
また、本発明にあっては、データを送信した場合に、送信先の誤りを示す送信誤情報を受信したときは、該送信先への送信を禁止することにより、誤った送信先情報が繰り返し使用されることを防止することができる。
【００２９】
また、本発明にあっては、送信先への送信を禁止する場合、該送信先を含む送信先情報を削除する削除手段を備えることにより、正しい送信先情報だけを記憶しておくことができる。
【００３０】
また、本発明にあっては、送信先が通話中である場合、送信先情報を削除しないことにより、誤って正しい送信先情報が削除されることを防止することができる。
【００３１】
また、本発明にあっては、送信先への送信を禁止する場合、送信が禁止されたことを報知する報知手段を備えることにより、ユーザに誤った送信先情報が存在することを認識させることができる。
【発明を実施するための最良の形態】
【００３２】
以下、本発明に係る送信装置を備えるデジタル複合機を実施の形態を示す図面に基づいて説明する。図１はデジタル複合機１００の内部構成を示すブロック図である。図に示すように、デジタル複合機１００は、画像読取部１、画像形成部２、処理部３、制御部４、記憶部５、ＨＤＤ６、通信部７、ＦＡＸモデム８、操作部９などを備える。
【００３３】
画像読取部１は、ＣＣＤ１１、原稿センサ１２などを備えている。画像読取部１は、例えば、自動原稿送り装置（ＡＤＦ、Automatic Document Feeder）であり、原稿トレイに載置された原稿を原稿センサ１２で検知し、原稿を搬送する搬送路を移動する原稿に光を照射し、原稿からの反射光をＣＣＤ１１で光電変換してアナログ信号に変換し、得られたアナログ信号をＡ／Ｄ変換器（不図示）でデジタル信号に変換する。画像読取部１は、変換して得られたデジタル信号を画像形成部２へ出力する。
【００３４】
画像形成部２は、メモリ２１、暗号復号部２２、印字部２３などを備えている。画像読取部１から入力されたデジタル信号は、一旦メモリ２１に画像データとして記憶される。画像形成部２は、記憶された画像データを読み出し、読み出した画像データを処理部３で濃度変換処理、倍率変換処理、Ｎｉｎ１などの編集処理を行った後、処理後の画像データを暗号復号部２２へ出力する。
【００３５】
暗号復号部２２は、画像データを所定の方式で暗号化し、暗号化データをＨＤＤ６へ出力する。また、暗号復号部２２は、ＨＤＤ６から入力された暗号化データを元の画像データに復号化し、復号化した画像データをメモリ２１へ出力する。
【００３６】
印字部２３は、メモリ２１に記憶された画像データに基づいて、用紙上に画像を形成し、画像が形成された用紙を排出する。印字部２３は、例えば、感光体ドラム、感光体ドラムを所定の電位に帯電させる帯電器、感光体ドラム表面に静電潜像を形成するレーザ書込装置、感光体ドラム表面の静電潜像にトナーを供給して顕像化する現像装置、感光体ドラム表面のトナー像を用紙に転写する転写装置などを備えている（いずれも不図示）。なお、印字部２３は、電子写真方式に限定されるものではなく、インクジェット方式、熱転写方式などいずれの方式のものでもよい。
【００３７】
通信部７は、デジタル複合機１００が接続されたネットワーク２００、インターネット４００などに接続されたパーソナルコンピュータ２０１、２０１、インターネットＦＡＸ４０１、メールサーバ４０２などとの間で通信（例えば、電子メール機能、ＦＴＰ、インターネットＦＡＸ機能）を行うためのインタフェースを備えている。通信部７は、画像読取部１で読み取った画像データ又はＨＤＤ６に記憶した画像データなどをパーソナルコンピュータ２０１、２０１、インターネットＦＡＸ４０１、メールサーバ４０２へ送信する。通信部７は、送信完了の場合、送信完了信号を制御部４へ出力する。また、通信部７は、制御部４の制御のもと、送信先（相手先）への送信を繰り返す再送信機能を備えている。また、通信部７は、メールサーバ４０２を介して画像データを送信先へ送信した場合、メールサーバ４０２から送信先が誤りであることを示す送信誤情報を受信したときには、送信未完了信号を制御部４へ出力する。
【００３８】
ＦＡＸモデム８は、ＮＣＵ及びモデムなどを内蔵し、デジタル複合機１００が接続された電話回線網３００に接続されたファクシミリ３０１（又は不図示のデジタル複合機など）との間でファクシミリ通信を行うためのファクシミリ通信インタフェースを備えている。ＦＡＸモデム８は、リダイヤル機能を有し、制御部４の制御のもと、送信先（相手先）との間で送信が完了しない場合、同一の送信先へ再度ダイヤルして送信先のファクシミリ３０１との通信を予め設定された回数（例えば、５回）繰り返す。ＦＡＸモデム８は、送信完了の場合、送信完了信号を制御部４へ出力し、所定回数再送信を行った場合において送信が完了しないときは、送信未完了信号を制御部４へ出力する。また、ＦＡＸモデム８は、送信先が通話中であることを検出した場合、通話中信号を制御部４へ出力する。
【００３９】
操作部９は、例えば、タッチパネル方式の操作パネルであり、利用者の操作指示を受け付ける入力部９１と、利用者に対して各種の情報を表示する液晶ディスプレイで構成される表示部９２などを備えている。
【００４０】
記憶部５は、不揮発性のメモリ又はＨＤＤなどにより構成され、画像データなどのデータを送信する送信先の名称、氏名、ＦＡＸ番号、電話番号、電子メールアドレスなどを検索文字、キー名称、インデックスなどに対応付けた送信先情報を記憶している。記憶部５に記憶される送信先情報は、制御部４の制御のもと、操作部９で登録、更新（修正）、又は削除が行われるとともに、操作部９のワンタッチボタン（不図示）を操作することにより、表示部９２で表示させ、送信先の設定（選択）を行うことができる。
【００４１】
制御部４は、ＣＰＵなどにより構成され、デジタル複合機１００全体の処理を制御する。また、制御部４は、利用者が操作部９でデータの送信などの操作を行う際に、利用者のＩＤ及びパスワードを入力するように促す画面を表示部９２に表示させ、入力部９１で入力されたＩＤ及びパスワードが予め記憶部５に記憶されたものと一致するか否かに応じて利用者の認証処理を行う。
【００４２】
図２は操作部９の操作パネルの例を示す模式図であり、図３乃至図１０は表示画面の一例を示す模式図である。図２に示すように、例えば、利用者が画像データを原稿から読み取って、所要の相手先へ送信する場合、操作パネル上の「ＦＡＸ／イメージ送信」ボタンを操作するとともに、テンキーを操作して利用者のＩＤ及びパスワードを入力することにより利用者認証が行われる。なお、利用者の認証は、操作パネルからＩＤ及びパスワードを入力する方式に代えて、個人情報が記録されたＩＣカードなどを用いる構成としてもよい。
【００４３】
図３に示すように、利用者の認証が終了した場合、表示画面上で、例えば、ワンタッチボタン（不図示）を操作することにより、予め送信先情報を登録するための登録画面が表示される。例えば、送信先情報として、ＦＡＸであるかインターネットＦＡＸであるかの区別、相手先名、検索文字、インデックス、アドレス（又はＦＡＸ番号）、キー名称などを入力して登録することができる。
【００４４】
図４に示すように、相手先名などの文字入力を行う場合、入力用画面が表示される。
【００４５】
図５に示すように、利用者の認証が終了した場合、送信先情報の登録を行わない場合には、予め登録され、記憶された送信先情報の中から送信先を選択するための画面が表示され、ワンタッチで送信先を設定することができる。これにより、送信の都度、送信先の文字入力処理を行う必要がなく、利用者の利便性が向上する。図５では、表示された送信先の中から「いうえ商事」を選択することにより、送信先を設定している。これにより、画像データが「いうえ商事」宛に送信される。
【００４６】
画像データが何らかの理由で送信完了しない場合、図６に示すように、送信が完了せず、登録された送信先情報を無効化する（該送信先情報を用いて送信することを禁止する）旨が表示され、図７に示すように、送信先が無効化された「いうえ商事」の右端に無効化されたことを示す印「！」が表示される。
【００４７】
図８に示すように、利用者が無効化された送信先を修正する場合、送信先情報を登録するための登録画面と同様な編集画面を表示させることにより、登録されている情報の修正を行い、送信先情報を更新することができる。なお、送信先情報が修正された場合、該送信先情報は有効なもの（送信可能）として記憶される。
【００４８】
また、図９に示すように、利用者が無効化された送信先を修正しない場合、登録された送信先情報を削除する旨が表示され、図１０に示すように、送信先が無効化された「いうえ商事」は、表示画面から削除され、送信先の設定（選択）を行うことができないようにする。これにより、正しい送信先情報だけを記憶することができ、例えば、デジタル複合機を増設する場合又は置き換える場合に、すでに設置されたデジタル複合機に記憶された情報を増設（又は置き換える）するデジタル複合機に転送するときには、正しい送信先情報だけを転送（登録）することができ、ユーザの利便性が向上する。
【００４９】
次に本発明に係る送信装置を備えるデジタル複合機１００の動作について説明する。図１１及び図１２はデジタル複合機１００が実行する処理の手順を示すフローチャートである。制御部４は、操作部９からの送信先情報の登録要求があるか否かを判定し（Ｓ１１）、登録要求がある場合（Ｓ１１でＹＥＳ）、送信先情報の登録を行い（Ｓ１２）、すべての登録が完了したか否かを判定する（Ｓ１３）。すべての登録が完了していない場合（Ｓ１３でＮＯ）、制御部４は、ステップＳ１２の処理を続ける。
【００５０】
すべての登録が完了した場合（Ｓ１３でＹＥＳ）、制御部４は、操作部９での選択操作により、送信先を設定し（Ｓ１４）、設定された送信先へ画像データを送信する（Ｓ１５）。一方、制御部４は、登録要求がない場合（Ｓ１１でＮＯ）、ステップＳ１４以降の処理を続ける。
【００５１】
制御部４は、送信先が通話中であるか否かを判定し（Ｓ１６）、通話中である場合（Ｓ１６でＹＥＳ）、ステップＳ１６の処理を続け、通話中が解除されるまで待機する。制御部４は、通話中でないと判定した場合（Ｓ１６でＮＯ）、送信が完了したか否かを判定し（Ｓ１７）、送信が完了していない場合（Ｓ１７でＮＯ）、送信誤情報を受信したか否かを判定する（Ｓ１８）。
【００５２】
送信誤情報を受信していない場合（Ｓ１８でＮＯ）、制御部４は、同一送信先に再度画像データを送信する再送信処理を行い（Ｓ１９）、送信回数を計数する（Ｓ２０）。制御部４は、送信回数が所定値より大きいか否かを判定し（Ｓ２１）、送信回数が所定値より大きい場合（Ｓ２１でＹＥＳ）、表示部９２で送信エラーを報知する（Ｓ２２）。
【００５３】
送信回数が所定値より大きくない場合（Ｓ２１でＮＯ）、制御部４は、ステップＳ１５以降の処理を続ける。一方、送信誤情報を受信した場合（Ｓ１８でＹＥＳ）、制御部４は、ステップＳ２２以降の処理を続ける。
【００５４】
制御部４は、送信先情報の修正要求が操作部９で操作されたか否かを判定し（Ｓ２３）、送信先情報の修正要求がある場合（Ｓ２３でＹＥＳ）、送信先情報の修正を行い（Ｓ２４）、処理を終了する。送信先情報の修正要求がない場合（Ｓ２３でＮＯ）、制御部４は、送信先情報を削除し（Ｓ２５）、送信先情報を削除したことを報知し（Ｓ２６）、処理を終了する。一方、ステップＳ１７で送信が完了した場合（Ｓ１７でＹＥＳ）、制御部４は、処理を終了する。
【００５５】
以上説明したように、本発明にあっては、送信先情報が誤って記憶された場合には、該送信先情報の使用を禁止して、受信側のユーザに不快感を与えることを防止することができる。また、所定回数再送信した場合に、送信が完了していないときは、前記送信先への送信を禁止することにより、記憶された送信先情報が確実に誤っていることを判定することができる。また、送信先の誤りを示す送信誤情報を受信したときは、該送信先への送信を禁止することにより、誤った送信先情報が繰り返し使用されることを防止することができる。また、送信先への送信を禁止する場合、送信先情報を削除する削除手段を備えることにより、正しい送信先情報だけを記憶しておくことができる。また、送信先が通話中である場合、送信先情報を削除しないことにより、誤って正しい送信先情報が削除されることを防止することができる。さらに、送信先への送信を禁止する場合、送信が禁止されたことを報知する報知手段を備えることにより、ユーザに誤った送信先情報が存在することを認識させることができる。
【００５６】
上述の実施の形態においては、デジタル複合機を例として説明したが、本発明に係る送信装置は、デジタル複合機に適用が限定されるものではなく、例えば、ファクシミリ装置などの通信機能を備えた装置にも適用することができる。また、送信するデータは、画像データに限定されるものではなく、他のデータであってもよい。
【００５７】
上述の実施の形態において、表示画面は一例であって、これに限定されるものではない。
【図面の簡単な説明】
【００５８】
【図１】デジタル複合機の内部構成を示すブロック図である。
【図２】操作部の操作パネルの例を示す模式図である。
【図３】表示画面の一例を示す模式図である。
【図４】表示画面の一例を示す模式図である。
【図５】表示画面の一例を示す模式図である。
【図６】表示画面の一例を示す模式図である。
【図７】表示画面の一例を示す模式図である。
【図８】表示画面の一例を示す模式図である。
【図９】表示画面の一例を示す模式図である。
【図１０】表示画面の一例を示す模式図である。
【図１１】デジタル複合機が実行する処理の手順を示すフローチャートである。
【図１２】デジタル複合機が実行する処理の手順を示すフローチャートである。
【符号の説明】
【００５９】
１  画像読取部
２  画像形成部
３  処理部
４  制御部
５  記憶部
６  ＨＤＤ
７  通信部
８  ＦＡＸモデム
９  操作部
【図１】
2007235731.tif 000003
【図２】
2007235731.tif 000004
【図３】
2007235731.tif 000005
【図４】
2007235731.tif 000006
【図５】
2007235731.tif 000007
【図６】
2007235731.tif 000008
【図７】
2007235731.tif 000009
【図８】
2007235731.tif 000010
【図９】
2007235731.tif 000011
【図１０】
2007235731.tif 000012
【図１１】
2007235731.tif 000013
【図１２】
2007235731.tif 000014